(57)【要約】【課題】充電時に携帯電子機器を一方向に限られず他の方向からも確実にスムーズに装着できて携帯電子機器に充電でき、かつ、安全上の観点からも携帯電子機器を装着していないときに感電や短絡の心配もなく、さらに嵩張らずに軽量コンパクトな充電装置を提供できるようにすることにある。【解決手段】携帯電子機器を脱着自在に装着できる嵌合凹部１０を有する筐体部２と、携帯電子機器の嵌合凹部１０への装着時に、作動ボタン１６を押し下げて筐体部２の内部に没している一対の給電端子３ａ，３ｂを筐体部２の開孔１２ａ，１２ｂから嵌合凹部１０内に突出させて前記の携帯電子機器に給電する給電・作動機構部４と、給電・作動機構部４を装着した筐体部２を裏側から蓋する裏面蓋部５からなる。【選択図】  図２
2005295643.tif 000002
【特許請求の範囲】
【請求項１】
筐体部と給電・作動機構部と裏面蓋部からなる携帯電子機器用の充電装置であって、
前記筐体部は、携帯電子機器を脱着自在に装着できる嵌合凹部を有し、かつ、一端部側に給電・作動機構部の一対の給電端子を嵌合凹部に出没可能にする開孔を有するとともに、前記嵌合凹部の嵌合面に給電・作動機構部の作動ボタンを突出可能にする作動ボタン用孔を有する構成であり、
前記給電・作動機構部は、筐体部の開孔を形成した一端部寄りの裏面側に装着されるものであって、回路基板およびこの基板の回路に接続したコネクタとからなる給電部、並びに、筐体部の開孔から出没する接点部を先端部に有し、後端部を前記の基板に係止するとともに前記の回路に接続し、かつ、ねじりコイルバネとしての機能を有する前記した一対の給電端子と、筐体部の作動ボタン用孔から突出する前記した作動用ボタンと、前記のそれぞれの給電端子の接点部寄りに係止する係止部を有するとともに、作動用ボタンに係合する係合傾斜部を有し、作動用ボタンの降下にともなって係合傾斜部を介して前記した筐体部の一端部と反対の方向に移動する作動中継部材と、この作動中継部材を筐体部の一端部側に常に付勢するバネとからなる作動機構部からなり、前記のバネの付勢により筐体部の一端部側に引かれている作動中継部材の係止部を介して、各給電端子の接点部が常に筐体部の開孔内に没し、携帯電子機器の嵌合凹部への装着にともなう作動用ボタンの降下により、前記のバネの付勢に抗して各給電端子の接点部寄りに係止する係止部を有する作動中継部材が筐体部の一端部と反対方向に移動し、各給電端子の弾発により各接点部が筐体部の開孔から嵌合凹部内に突出するようにした構成であり、
前記裏面蓋部は、筐体部の裏面開口側の少なくとも前記作動機構部を装着した箇所を覆う構成である、ことを特徴とする携帯電子機器用の充電装置。
【請求項２】
筐体部と給電・作動機構部と裏面蓋部からなる携帯電子機器用の充電装置であって、
前記筐体部は、携帯電子機器を脱着自在に装着できる嵌合凹部を有し、かつ、一端部側に給電・作動機構部の一対の給電端子の一方の給電端子を常に嵌合凹部内に突出させる開孔と、前記の一対の給電端子の他方の給電端子を嵌合凹部に出没可能にする開孔とを有するとともに、前記嵌合凹部の嵌合面に給電・作動機構部の作動ボタンを突出可能にする作動ボタン用孔を有する構成であり、
前記給電・作動機構部は、筐体部の開孔を形成した一端部寄りの裏面側に装着されるものであって、回路基板およびこの基板の回路に接続したコネクタとからなる給電部、並びに、筐体部の一方の開孔から常時突出する接点部を一方の先端部に有し、他方の開孔から出没する接点部を他方の先端部に有し、かつ、各後端部を前記の基板に係止するとともに前記の回路に接続し、かつ、ねじりコイルバネとしての機能を有する前記した一対の給電端子と、筐体部の作動ボタン用孔から突出する前記した作動用ボタンと、前記の開孔から出没する他方の給電端子の接点部寄りに係止する係止部を有するとともに、作動用ボタンに係合する係合傾斜部を有し、作動用ボタンの降下にともなって係合傾斜部を介して前記した筐体部の一端部と反対の方向に移動する作動中継部材と、この作動中継部材を筐体部の一端部側に常に付勢するバネとからなる作動機構部からなり、
前記の一方の給電端子の接点部は常に筐体部の一方の開孔から嵌合凹部内に突出し、前記のバネの付勢により筐体部の一端部側に引かれている作動中継部材の係止部を介して、他方の給電端子の接点部が常に筐体部の開孔内に没し、携帯電子機器の嵌合凹部への装着にともなう作動用ボタンの降下により、前記のバネの付勢に抗してこの給電端子の接点部寄りに係止する係止部を有する作動中継部材が筐体部の一端部と反対方向に移動し、この給電端子の弾発により接点部が筐体部の開孔から嵌合凹部内に突出するようにした構成であり、
前記裏面蓋部は、筐体部の裏面開口側の少なくとも前記作動機構部を装着した箇所を覆う構成である、ことを特徴とする携帯電子機器用の充電装置。
【発明の詳細な説明】
【技術分野】
【０００１】
この発明は携帯電話機等の携帯電子機器用の充電装置に関するものである。
【背景技術】
【０００２】
携帯電話機等の携帯電子機器に充電する充電装置としては、下記のような特許文献１，２等に記載の装置が従来から開発されている。例えば特許文献１に記載の充電装置は、携帯電話機を充電装置の嵌合部内の傾斜した上面に沿って挿入し、この携帯電話機の挿入によって筐体内に軸支された回転片を下方に押しつつ回転させ、この回転片の動きに連動して制止部材を移動させて給電端子を筐体の開孔から前記嵌合部内に押し出し、前記の携帯電話機の充電受電端子と接触させて携帯電子機器を充電するものである。
【０００３】
【特許文献１】特開２００３−１６９１２１号公報
【特許文献２】特開２００３−９４０９号公報
【発明の開示】
【発明が解決しようとする課題】
【０００４】
しかしながら、前記のような従来の充電装置では、筐体内に軸支された回転片を、軸支した位置を支点に携帯電話機で回転移動させて、給電端子を筐体の開孔から嵌合部内に押し出す構成であるため、携帯電話機を嵌合部に挿入する場合には、一方向、すなわち、筐体の傾斜した上面に沿わすようにして斜め上方向から挿入しないと、回転片をスムーズに回転作動させるのが難しかった。
【０００５】
また、筐体も上面を傾斜させた形成してあるため、筐体の開孔側に比べて反対側が厚くなり、必然的に筐体の厚さも厚くなって重くなり、また、見栄えも良くなかった。このことは前記した特許文献２でも、回転片とスプリング等の組み合わせ構造から同様の問題点を有している。
【０００６】
本発明は前記のような点に鑑みて開発されたものである。その目的とするところは、充電時に携帯電子機器を一方向に限られず他の方向からも確実にスムーズに装着できて携帯電子機器に充電でき、かつ、安全上の観点からも携帯電子機器を装着していないときに感電や短絡の心配もなく、さらに嵩張らずに軽量コンパクトな充電装置を提供することにある。
【課題を解決するための手段】
【０００７】
本発明は前記のような目的を有効に達成するために、次のような構成にしてある。すなわち、請求項１記載の本発明の携帯電子機器用の充電装置は、筐体部と給電・作動機構部と裏面蓋部からなる携帯電子機器用の充電装置であって、前記筐体部は、携帯電子機器を脱着自在に装着できる嵌合凹部を有し、かつ、一端部側に給電・作動機構部の一対の給電端子を嵌合凹部に出没可能にする開孔を有するとともに、前記嵌合凹部の嵌合面に給電・作動機構部の作動ボタンを突出可能にする作動ボタン用孔を有する構成であり、前記給電・作動機構部は、筐体部の開孔を形成した一端部寄りの裏面側に装着されるものであって、回路基板およびこの基板の回路に接続したコネクタとからなる給電部、並びに、筐体部の開孔から出没する接点部を先端部に有し、後端部を前記の基板に係止するとともに前記の回路に接続し、かつ、ねじりコイルバネとしての機能を有する前記した一対の給電端子と、筐体部の作動ボタン用孔から突出する前記した作動用ボタンと、前記のそれぞれの給電端子の接点部寄りに係止する係止部を有するとともに、作動用ボタンに係合する係合傾斜部を有し、作動用ボタンの降下にともなって係合傾斜部を介して前記した筐体部の一端部と反対の方向に移動する作動中継部材と、この作動中継部材を筐体部の一端部側に常に付勢するバネとからなる作動機構部からなり、前記のバネの付勢により筐体部の一端部側に引かれている作動中継部材の係止部を介して、各給電端子の接点部が常に筐体部の開孔内に没し、携帯電子機器の嵌合凹部への装着にともなう作動用ボタンの降下により、前記のバネの付勢に抗して各給電端子の接点部寄りに係止する係止部を有する作動中継部材が筐体部の一端部と反対方向に移動し、各給電端子の弾発により各接点部が筐体部の開孔から嵌合凹部内に突出するようにした構成であり、前記裏面蓋部は、筐体部の裏面開口側の少なくとも前記作動機構部を装着した箇所を覆う構成である、ことを特徴とする。
【０００８】
また、請求項２に記載の本発明の携帯電子機器用の充電装置は、筐体部と給電・作動機構部と裏面蓋部からなる携帯電子機器用の充電装置であって、前記筐体部は、携帯電子機器を脱着自在に装着できる嵌合凹部を有し、かつ、一端部側に給電・作動機構部の一対の給電端子の一方の給電端子を常に嵌合凹部内に突出させる開孔と、前記の一対の給電端子の他方の給電端子を嵌合凹部に出没可能にする開孔とを有するとともに、前記嵌合凹部の嵌合面に給電・作動機構部の作動ボタンを突出可能にする作動ボタン用孔を有する構成であり、前記給電・作動機構部は、筐体部の開孔を形成した一端部寄りの裏面側に装着されるものであって、回路基板およびこの基板の回路に接続したコネクタとからなる給電部、並びに、筐体部の一方の開孔から常時突出する接点部を一方の先端部に有し、他方の開孔から出没する接点部を他方の先端部に有し、かつ、各後端部を前記の基板に係止するとともに前記の回路に接続し、かつ、ねじりコイルバネとしての機能を有する前記した一対の給電端子と、筐体部の作動ボタン用孔から突出する前記した作動用ボタンと、前記の開孔から出没する他方の給電端子の接点部寄りに係止する係止部を有するとともに、作動用ボタンに係合する係合傾斜部を有し、作動用ボタンの降下にともなって係合傾斜部を介して前記した筐体部の一端部と反対の方向に移動する作動中継部材と、この作動中継部材を筐体部の一端部側に常に付勢するバネとからなる作動機構部からなり、前記の一方の給電端子の接点部は常に筐体部の一方の開孔から嵌合凹部に突出し、前記のバネの付勢により筐体部の一端部側に引かれている作動中継部材の係止部を介して、他方の給電端子の接点部が常に筐体部の開孔内に没し、携帯電子機器の嵌合凹部への装着にともなう作動用ボタンの降下により、前記のバネの付勢に抗してこの給電端子の接点部寄りに係止する係止部を有する作動中継部材が筐体部の一端部と反対方向に移動し、この給電端子の弾発により接点部が筐体部の開孔から嵌合凹部内に突出するようにした構成であり、前記裏面蓋部は、筐体部の裏面開口側の少なくとも前記作動機構部を装着した箇所を覆う構成である、ことを特徴とする。
【発明の効果】
【０００９】
請求項１に記載の本発明の携帯電子機器用の充電装置では、筐体部の嵌合凹部へ携帯電子機器を装着した時に作動用ボタンが降下し、この作動用ボタンの動作と連動して作動中継部材が筐体部の各開孔を形成した一端部と反対方向に移動し、作動中継部材の両側の係止部によって筐体部の各開孔から嵌合凹部内への突出を阻止されていた各給電端子の接点部は各開孔から嵌合凹部内に突出し、この各接点部が携帯電子機器の充電受電端子に当接して簡単に充電することができる。
【００１０】
また、前記したように作動用ボタンを降下させることによって作動中継部材を水平方向に移動させて各開孔から各給電端子の接点部を突出させる構成であるので、充電時に携帯電子機器を筐体部の嵌合凹部に対して斜め上方向に限らず真上方向から装着しても、作動用ボタンを降下させることができ、携帯電子機器の嵌合凹部への装着に手間取ったり、装着ミスによって充電できなかったといったことなく、容易に、迅速に、かつ確実に携帯電子機器に充電することができる。
【００１１】
さらに、本発明にかかる給電・作動機構部の構成であるが故に、筐体部を薄く形成することができて見栄えも良く、嵩張ることもない。
【００１２】
また、携帯電子機器に充電していないとき、すなわち、筐体部の嵌合凹部に携帯電子機器を装着していないときは、各給電端子の接点部は各開孔から筐体部内に没しているので、開孔に手などが触れても感電したり短絡したりすることもなく安全である。
【００１３】
また、請求項２に記載の本発明の携帯電子機器用の充電装置は、一対の給電端子のうち、一方の給電端子の接点部が筐体部の片方の開孔から常に嵌合凹部内に突出し、他方の給電端子の接点部は携帯電子機器を嵌合凹部に装着した時にもう片方の開孔から嵌合凹部内に突出し、通常は筐体部内に没しているようにした作動機構部を有しているので、片方の給電端子の付勢に抗する弾発付勢力を有するバネによって、作動機構部の作動中継部材を筐体部の開孔を形成した一端部側に引っ張るだけでよいので、バネの製造コストを低減することができる。また、開孔から片方の給電端子の接点部が常に外に突出していても、もう一方の給電端子の接点部は筐体部内に没しているので、突出した接点部に手などを触れても感電したり短絡したりすることもなく安全である。その他の効果は前記した請求項１に記載の発明と同様の効果を奏することができる。
【発明を実施するための最良の形態】
【００１４】
図１〜図９は本発明にかかる一例の携帯電子機器用の充電装置に関する図であって、図示の充電装置１(図１、図２参照)は、充電時における携帯電話機装着用の筐体部２と、後述する１対の給電端子３ａ，３ｂを作動させる給電・作動機構部４と、この給電・作動機構部４を装着した筐体部２を裏面から覆う裏面蓋部５、および止めネジ(図示省略)によって構成されている。
【００１５】
より具体的に説明すると前記筐体部２(図１〜図３参照)は、合成樹脂によって形成されたものであって、一端部６の上面側にコ状の中空な隆起嵌合部７を有し、他端部８に凸状の中空な隆起嵌合部９を有し、前記の隆起嵌合部７と隆起嵌合部９とによって上側に携帯電話機Ｋ(図８参照)を脱着自在に装着できる嵌合凹部１０を設けてある。
【００１６】
筐体部２の一端部６の隆起嵌合部７には、内側面部１１に一定間隔を以って給電・作動機構部４の一対の給電端子３ａ，３ｂを嵌合凹部１０に出没可能にする２つの開孔１２ａ，１２ｂが設けてある。また、筐体部２の他端部８の隆起嵌合部９は、嵌合凹部１０内側に開口１３を有し、嵌合凹部１０への携帯電話機Ｋの装着時に、一方の隆起嵌合部７とともに携帯電話機Ｋを挟持する押部材１４を前記開口１３から露出するように設けてある。この押部材１４は、隆起嵌合部９内に設けたバネ（図示省略）によって常に嵌合凹部１０側に付勢され、携帯電話機Ｋを嵌合凹部１０に装着した時に少し後退した状態で携帯電話機Ｋを押圧する。
【００１７】
さらに、筐体部２の嵌合凹部１０の嵌合面１５には、隆起嵌合部７寄りの中央に給電・作動機構部４の作動ボタン１６を突出可能にする作動ボタン用孔１７を設けてある。１８は嵌合凹部１０への携帯電話機Ｋの嵌合を補助する突起、１９は携帯電話機Ｋを載置するゴム製のベース部材である。また、筐体部２の裏面側には、図５に示すように給電・作動機構部４を支持する複数の支持部２４、２６等が形成してある。
【００１８】
前記給電・作動機構部４(図２参照)は、筐体部２の開孔１２ａ，１２ｂを形成した一端部６寄りの裏面側に装着されるものである。この給電・作動機構部４は、給電部２０と、作動機構部２１とによって構成されている。
【００１９】
給電部２０は、回路基板２２およびこの基板２２の回路(図示省略)に接続したコネクタ２３とからなる。コネクタ２３は、筐体部２の裏面２５側に形成した支持部２４に両側を嵌め合わせて設けてある。また、回路基板２２は、筐体部２の裏面２５に沿ってこの裏面とコネクタ２３との間に配し、筐体部２の各支持部２６と裏面蓋部５とで挟持される。
【００２０】
作動機構部２１は、一対の給電端子３ａ，３ｂと、作動用ボタン１６と、作動中継部材２７と、引張りコイルバネ２８とによって構成されている。
【００２１】
一対の各給電端子３ａ，３ｂは、ねじりコイルバネとしての機能を有する例えば図示のような形状に形成されたものであり、筐体部２の開孔１２ａ，１２ｂから出没する屈曲形成した接点部２９ａ，２９ｂを先端部３１に有し、中間のねじり部３０ａ，３０ｂを介して後端部３２(図４参照)を前記の基板２２に係止するとともに前記の回路（図示省略）に接続してある。
【００２２】
作動用ボタン１６(図３参照)は、筐体部２の作動ボタン用孔１７から突出するボタン部１６ａと、ボタン部１６ａの下部に一体形成した中空な直方体形状の本体部１６ｂと、本体部１６ｂの両側部に形成した係合凸部１６ｃとを、樹脂成形により一体形成したものである。
【００２３】
作動ボタン用孔１７から突出するボタン部１６ａは、作動用ボタン１６を筐体部２に装着したときに、筐体部２の他端部８から一端部６方向に漸次高くなるように滑らかな傾斜面３５を有している。ボタン部１６ａの頂部３６は滑らかな湾曲形状に形成してある。また、本体部１６ｂ(図５参照)の前後中央には、それぞれスリット３３，３４が形成されている。本体部１６ｂのそれぞれのスリット３３，３４を、筐体部２の裏面に形成した支持部３７，３８の各リブ３７ａ、３８ａに係合させることによって、作動用ボタン１６を支持しながら上下動させることができる。
【００２４】
作動中継部材２７(図５参照)は、筐体部２の裏面に形成した支持部３９，４０の間に移動可能に収まる平面視門形状の中継本体部２７ａと、この中継本体部２７ａの一端部寄りの両側から突出して前記のそれぞれの給電端子３ａ，３ｂの接点部２９ａ，２９ｂ寄りに係止する２つの係止部４１ａ，４１ｂと、中継本体部２７ａの他端部寄りの両側から突出して前記の支持部３９，４０に係止して、筐体部２の一端部６方向への移動を阻止させる凸片部４２、４２と、中継本体部２７ａの中央の下部側に形成して引張りバネ２８の一端部２８ａを係止する係止凸部４３と、作動用ボタン１６の両側の係合凸部１６ｃに係合するように中継本体部２７ａの空間部４４側の両側内面に形成した係合傾斜部４５、４５とを、樹脂により一体形成したものである。
【００２５】
前記した支持部３７，３８の間に設けられる作動用ボタン１６の本体部１６ｂは、作動中継部材２７の中継本体部２７ａの空間部４４に位置する。
【００２６】
引張りコイルバネ２８は、一端部２８ａを作動中継部材２７の係止凸部４３に係止し、他端部２８ｂを筐体部２の裏面側の一端部６に係止して、作動中継部材２７を常に筐体部２の一端部６側に付勢するものである。
【００２７】
前記の引張りコイルバネ２８の付勢により筐体部２の一端部６側に引っ張られている作動中継部材２７(図２、図４参照)は、各係止部４１ａ，４１ｂを各給電端子３ａ，３ｂの接点部２９ａ，２９ｂ寄りに係止している。このことにより各給電端子３ａ，３ｂの弾発に抗して各接点部２９ａ，２９ｂは、常に筐体部２の開孔１２ａ，１２ｂ内（中空な隆起嵌合部７内）に没した状態を保持される。
【００２８】
この状態である作動中継部材２７の係合傾斜部４５の引張りコイルバネ２８側への移動により(図３参照)、各係合傾斜部４５、４５と係合する作動用ボタン１６の両側の係合凸部１６ｃは上方に位置する。そのため作動用ボタン１６のボタン部１６ａは、筐体部２の作動ボタン用孔１７から嵌合凹部１０内に突出した状態となる。
【００２９】
裏面蓋部５(図２参照)は、この例では開口している筐体部２の裏面側全体を覆う樹脂成形したものであって、前記給電・作動機構部４を装着した筐体部２の裏面に係合させて、ネジ（図示省略）で筐体部２に固定してある。また、裏面蓋部５の内側には、凸片部４６が形成してあり、筐体部２の裏面に裏面蓋部５を係合した際に、凸片部４６は前記した回路基板２２を筐体部２の嵌合面１５側に押圧支持する。
【００３０】
このような構成からなる本発明の充電装置１にあっては(図７、図８参照)、コネクタ２３に家庭用電源を取り入れるコードのコネクタ（図示省略）を接続し、充電するために携帯電話機Ｋを筐体部２の嵌合凹部１０に装着する。この際、本発明にかかる給電・作動機構部４の構成により、携帯電話機Ｋは嵌合凹部１０に対して装着方向を一方向に限定されることなく、斜め方向から装着しても或いは上方向から装着しても、さらには携帯電話機Ｋの装着できるその他の所望の方向から装着しても、スムーズに作動用ボタン１６を押し下げることができる。
【００３１】
携帯電話機Ｋを嵌合凹部１０に装着することにより、作動用ボタン１６は下方に押し下げられる。この時、作動用ボタン１６の係合凸部１６ｃは、作動中継部材２７の係合傾斜部４５に沿って係合傾斜部４５を上から押すようにして降下する。このことにより引張りコイルバネ２８で筐体部２の一端部６側に引っ張られていた作動中継部材２７は、引張りコイルバネ２８の弾発に抗して筐体部２の一端部６と反対方向に水平移動する。
【００３２】
この動作にともなって各給電端子３ａ，３ｂの接点部２９ａ，２９ｂ寄りに係止している作動中継部材２７の各係止部４１ａ，４１ｂも、筐体部２の一端部６と反対方向に移動し、各給電端子３ａ，３ｂの接点部２９ａ，２９ｂは、筐体部２の各開孔１２ａ，１２ｂから嵌合凹部１０内に突出する(図６、８参照)。突出した各給電端子３ａ，３ｂの接点部２９ａ，２９ｂは、携帯電話機Ｋの充電受電端子４７に接触して携帯電話機Ｋを充電する。
【００３３】
充電が完了すれば、携帯電話機Ｋを嵌合凹部１０から取り除くことにより、給電・作動機構部４の各部分は元の状態に戻り、各給電端子３ａ，３ｂの接点部２９ａ，２９ｂも開孔１２ａ，１２ｂから筐体部２の内側に没する(図１参照)。したがって両開孔１２ａ，１２ｂに手などが触れても感電する危険もない。
【００３４】
図１０〜図１２は本発明にかかる別の例の携帯電子機器用の充電装置に関する図であって、この充電装置１Ａは、一対の給電端子３ａ，３ｂのうち一方の給電端子３ａ(図１０参照)を常に開孔１２ａから嵌合凹部１０内に突出し、もう一方の給電端子３ｂを開孔１２ｂから出没できるように構成したものである。勿論、一対の給電端子３ａ，３ｂのうち前記と反対側の給電端子３ｂを常に開孔１２ｂから嵌合凹部１０内に突出し、もう一方の給電端子３ａを開孔１２ａから出没できるようにした構成であってもよい。この場合は、作動中継部材２７に片方の係止部４１ａを有し、前記した例のようなもう一方の係止部４１ｂ(図５参照)を有さない。
【００３５】
以下にこの例の充電装置１Ａをより具体的に説明する。なお、先の例の充電装置１と同一の構成箇所については同一符号を付して詳しい説明を省略し、相違する箇所の構成およびこの充電装置１Ａの動作について説明する。
【００３６】
先ず先の例の充電装置１(図５参照)では、中継本体部２７ａの一端部寄りの両側から突出して各給電端子３ａ，３ｂの接点部２９ａ，２９ｂ寄りに係止する２つの係止部４１ａ，４１ｂを備えていたが、この例の充電装置１Ａでは、一対の給電端子３ａ，３ｂのうち、片方の給電端子３ｂの接点部２９ｂが筐体部２の開孔１２ｂから弾発力により自然に嵌合凹部１０内に突出しなように、給電・作動機構部４の作動中継部材２７に片方の係止部４１ｂだけを設けてある。
【００３７】
したがって、この例では作動中継部材２７には、前記の例のようなもう片方の係止部４１ａ(図５参照)がない。そのため、一対の給電端子３ａ，３ｂのうち片方の給電端子３ａの接点部２９ａは、この給電端子３ａのねじりコイルバネとしての機能による弾発付勢によって、常に自然に筐体部２の開孔１２ａから嵌合凹部１０内に突出している。
【００３８】
このような構成からなる本発明の充電装置１Ａにあっては、前記の例と同様にして、充電するために携帯電話機Ｋを筐体部２の嵌合凹部１０に装着する。このことにより作動用ボタン１６は下方に押し下げられ、作動用ボタン１６の係合凸部１６ｃの降下にともなって作動中継部材２７は、係合傾斜部４５、４５を介して引張りコイルバネ２８の弾発に抗して筐体部２の一端部６と反対方向に水平移動する。
【００３９】
この動作にともなって給電端子３ｂの接点部２９ｂ寄りに係止している作動中継部材２７の係止部４１ｂも筐体部２の一端部６と反対方向に水平移動し、給電端子３ｂの接点２９ｂは筐体部２の開孔１２ｂから嵌合凹部１０内に突出する。突出した給電端子３ｂの接点２９ｂは、常に開孔１２ａから嵌合凹部１０内に突出している給電端子３ａの接点部２９ａとともに、携帯電話機Ｋの充電受電端子４７に接触して携帯電話機Ｋを充電する。
【００４０】
充電が完了すれば、携帯電話機Ｋを嵌合凹部１０から取り除くことにより、給電・作動機構部４の各部分は元の状態に戻り、給電端子３ｂの接点部２９ｂも開孔１２ｂから筐体部２の内側に没して元の状態に戻る。
【００４１】
この例の充電装置１Ａの場合、常に開孔１２ａから嵌合凹部１０内に突出している接点部２９ａに手が触れても、もう一方の給電端子３ｂの接点部２９ｂが筐体部２の内側に没しているので、両接点部２９ａ、２９ｂを同時に触ることもなく、感電する心配はない。
【図面の簡単な説明】
【００４２】
【図１】本発明の一例の全体斜視図である。
【図２】本発明の一例の分解斜視図である。
【図３】図１のＡ−Ａ矢視の断面図である。
【図４】図１のＢ−Ｂ矢視の断面図である。
【図５】本発明の一例を裏側からみたの要部分解斜視図である。
【図６】携帯電話機(図示省略)を装着した状態の本発明の一例の全体斜視図である。
【図７】図６のＣ−Ｃ矢視の断面図である。
【図８】図６のＤ−Ｄ矢視の断面図である。
【図９】図８の状態における本発明の一例を裏側からみたの要部分解斜視図である。
【図１０】本発明の他の例の全体斜視図である。
【図１１】本発明の他の例の分解斜視図である。
【図１２】携帯電話機(図示省略)を装着した状態の本発明の他の例の全体斜視図である。
【符号の説明】
【００４３】
１        充電装置
１Ａ      充電装置
２        筐体部
３ａ      給電端子
３ｂ      給電端子
４        給電・作動機構部
５        裏面蓋部
６        一端部
１０      嵌合凹部
１２ａ    開孔
１２ｂ    開孔
１５      嵌合面
１６      作動ボタン
１７      作動ボタン用孔
２０      給電部
２１      作動機構部
２２      回路基板
２３      コネクタ
２７      作動中継部材
２８      引張りバネ
２９ａ    接点部
２９ｂ    接点部
３１      先端部
３２      後端部
４１ａ    係止部
４１ｂ    係止部
４５      係合傾斜部
【図１】
2005295643.tif 000003
【図２】
2005295643.tif 000004
【図３】
2005295643.tif 000005
【図４】
2005295643.tif 000006
【図５】
2005295643.tif 000007
【図６】
2005295643.tif 000008
【図７】
2005295643.tif 000009
【図８】
2005295643.tif 000010
【図９】
2005295643.tif 000011
【図１０】
2005295643.tif 000012
【図１１】
2005295643.tif 000013
【図１２】
2005295643.tif 000014